(57)【要約】【課題】半導体装置の量産方法において個別調整を極力低減し、高速に安定したプラズマの初期放電特性を得られる半導体装置の製造方法を提供する。【解決手段】可変容量素子の容量変化と高周波電力の反射波の電力変化とを対応させたマトリックスを生成し、このマトリックスから特定の値を可変容量素子の初期容量として設定し、上記反射波の電力を計測して所定の上限値と比較する工程を備える。つまり、可変容量素子の容量と反射波の電力との対応関係を、予めマトリックスとして保持しておく。さらに、上記電力が上記上限値を超えている場合に、この電力が上限値未満となる上記可変容量素子の容量を、上記マトリックスから選択して決定する工程とを備える。このように、インピーダンスを整合させる可変容量素子の容量を、予め保持されたマトリックスから選択し設定するので、きわめて高速にプラズマを安定させることができる。【選択図】図５
2009188152.tif 000002
【特許請求の範囲】
【請求項１】
真空処理室にプロセスガスを導入し、該真空処理室を排気により所定の圧力に維持し、該真空処理室内の上部電極に高周波電力を印加してプラズマを発生させ、該真空処理室内の下部電極上に設置した半導体ウエーハに成膜処理する半導体装置の製造方法において、
上記真空処理室内を調整する成膜前処理を行う工程と、
上記成膜前処理中に、上記高周波電力のインピーダンス整合装置における可変容量素子の現在の容量を取得する工程と、
上記可変容量素子の容量変化と上記高周波電力の反射波の電力変化とを対応させたマトリックスを生成する工程と、
上記マトリックスから特定の値を上記可変容量素子の初期容量として設定する工程と、上記反射波の電力を計測して所定の上限値と比較する工程と、
上記反射波の電力が上記上限値を超えている場合に、該電力が上記上限値未満となる上記可変容量素子の容量を、上記マトリックスから選択して決定する工程と、
を備えることを特徴とした半導体装置の製造方法。
【発明の詳細な説明】
【技術分野】
【０００１】
本発明は、プラズマＣＶＤ(Chemical Vapor Deposition：化学気相成長)を利用して成膜処理を行う半導体装置の製造方法に関するものである。
【背景技術】
【０００２】
半導体ウエーハに対して成膜処理（薄膜堆積処理）を行う一般的なプラズマＣＶＤ装置の一例として、平行平板型プラズマＣＶＤ装置の構成を図１を用いて説明する。
【０００３】
図１は、一般的な平行平板型プラズマＣＶＤ装置の概略図である。真空処理室１は、排気手段６により、内部を真空に保持された処理室である。薄膜堆積処理が開始されると、ガス導入部４からプロセスガスが導入される。このとき、排気手段６が適切に排気を行うことにより真空処理室1内を一定の圧力に保ちながら、上部電極２に高周波ＲＦ(Radio Frequency)電源８および低周波ＲＦ電源９によりインピーダンス整合装置７を通ってＲＦ電力を供給する。そして、上部電極２と下部電極３との間に生ずる電界により発生するプラズマを利用し、ウエーハ５に対して薄膜堆積を行う。薄膜堆積処理が進行し、予め設定された処理時間に到達すると、薄膜堆積処理を終了する。
【０００４】
この場合において、装置の制御パラメータである高周波ＲＦ電源８の電力、真空処理室１内の圧力、ガス流量、インピーダンス整合装置７の容量素子などはモニタされている。そして、各パラメータが予め設定されている所定の範囲から外れた時には異常と判定し、プラズマＣＶＤ装置の動作を停止するインターロック方式が採用されており、不良品の発生を最小限に抑えることが一般的に行われている。
【０００５】
ここで、発生するプラズマを早期に安定化させるためには、インピーダンス整合装置７により、上記電力の電源内部のインピーダンスと電源の出力以降のインピーダンスとを適切に整合して、この電力の反射波を最小にする必要がある。インピーダンス整合装置７の例として、下記の特許文献１では、図６に示すような２つの固定インダクタンスＬ１,Ｌ２と２つの可変容量素子Ｃ１，Ｃ２を含む逆Ｌ形整合回路を採用している。そして、制御装置１５により負荷インピーダンスの実数部と虚数部の誤差関数を定義し、インピーダンスの目標値に対して可変容量素子Ｃ２を可変させるモータ運転速度を指定しておく。すると、誤差関数は所定の行列（ゲイン行列）に従って指数関数的に減衰するので、インピーダンスは目標値へと速く収束する。
【特許文献１】特開２００５−２８６８５３号公報
【発明の開示】
【発明が解決しようとする課題】
【０００６】
上記従来の技術では、一般的な整合回路に加えて、モータにより制御される可変容量素子Ｃ１および可変容量素子Ｃ２の駆動を最適化するための制御装置１５を設けている。そして、送信線と負荷とにおける上記高周波電力の振幅、位相差の大きさによりモータの速度を可変とすることで、インピーダンスの目標値とのずれが大きい場合でも、速い収束速度を達成できる。
【０００７】
しかし、負荷インピーダンスはメンテナンス等で部品交換を行なうことなどにより変化するほか、成膜処理が進むとともに変化する。このような場合にこの従来技術では、２つの可変容量素子Ｃ１，Ｃ２を制御するために力学的なモータを使用して所定の初期位置を基準としてインピーダンスを変動させるため、インピーダンスが目標値へ収束するまでに時間がかかる。このため、プラズマを放電直後から最速で安定化するのは困難である。従って、例えばメンテナンス等があった場合には、反射波の電力等を一定以下に抑えるために、個別に可変容量素子Ｃ１および可変容量素子Ｃ２の最適化のための初期位置の調整が必要になる。
【０００８】
そこで本発明は、上記従来の問題を鑑み、半導体装置の量産方法において個別調整を極力低減し、高速に安定したプラズマの初期放電特性やインピーダンス整合の最適化を行うことができる半導体装置の製造方法を提供することを目的とする。
【課題を解決するための手段】
【０００９】
以上の目的を達成するために、本発明では、以下のような手段を採用している。
【００１０】
本発明は、真空処理室にプロセスガスを導入し、真空処理室を排気により所定の圧力に維持し、真空処理室内の上部電極に高周波電力を印加してプラズマを発生させ、真空処理室内の下部電極上に設置した半導体ウエーハに成膜処理する半導体装置の製造方法を前提としている。
【００１１】
そして、このような半導体装置の製造方法において、まず、成膜前処理および上記成膜処理を開始する工程と、この成膜前処理中に上記高周波電力のインピーダンス整合装置における可変容量素子の現在の容量を取得する工程とを備える。
【００１２】
次に、上記可変容量素子の容量変化と上記高周波電力の反射波の電力変化とを対応させたマトリックスを生成する工程と、このマトリックスから特定の値を可変容量素子の初期容量として設定する工程と、上記反射波の電力を計測して所定の上限値と比較する工程とを備える。つまり、可変容量素子の容量と反射波の電力との対応関係を、予めマトリックスとして保持しておく。
【００１３】
さらに、上記電力が上記上限値を超えている場合に、この電力が上限値未満となる上記可変容量素子の容量を、上記マトリックスから選択して決定する工程とを備える。このように、インピーダンスを整合させる可変容量素子の初期容量を、予め保持されたマトリックスから選択し設定するので、きわめて高速にプラズマを安定させることができるのである。
【発明の効果】
【００１４】
本発明の半導体装置の製造方法によれば、可変容量素子の初期容量を、予め保持されたマトリックスに基づいて、反射波が上限値未満となる位置に設定することにより、上下部電極交換等のメンテナンスによる負荷変動があった場合でも、高速に初期放電時の反射波を低減させることができる。これにより安定した放電状態を得ることができ、微細デバイスのパーティクル等のばらつき低減に寄与することが可能となる。
【発明を実施するための最良の形態】
【００１５】
以下、本発明の実施形態について、図面を参照しながら具体的に説明する。
【００１６】
図１は、本発明の実施形態におけるプラズマＣＶＤ(Chemical Vapor Deposition：化学気相成長)装置の概略構成図である。真空処理室１には、内部を真空に保持し、バルブ(図示せず)の開度を制御して所望の圧力に制御する排気手段６と、真空処理室１内に反応ガスを導入するガス導入部４が設けられている。
【００１７】
真空処理室１の下部には、下部電極３が配設され、この下部電極３上に成膜処理（薄膜堆積処理）を行う半導体ウエーハ５を載置して保持させる。高周波ＲＦ(Radio Frequency)電源８は、例えば１３．５６MHzの高周波電力を出力する電源である。また、低周波ＲＦ電源９は、例えば４００kHzの低周波電力を出力する電源であり、それぞれインピーダンス整合装置７を介して上部電極２に接続されている。なお、インピーダンス整合装置７は、電源内部のインピーダンスと電源の出力以降のインピーダンスを一定に整合する機能を持った装置で、一般的に可変容量素子を内蔵し、可変容量素子の容量を変化させ出力電力を安定して供給する機能を持っている。
【００１８】
制御装置１０は、このプラズマＣＶＤ装置の各制御を指示しており、且つ、高周波ＲＦ電源８の電力やインピーダンス整合装置７の可変容量素子の容量、及び排気手段６のバルブ開度やガス導入部４の各プロセスガスの流量などの装置パラメータを取得している。なお、制御装置１０で取得する装置パラメータとしては、これら以外の例えば上部電極２の温度や、真空処理室１の圧力などを含めてもよい。制御装置１０で取得される各装置パラメータをデータ収集装置１１で収集し、データ保存装置１２で保存し、保存された各装置パラメータから適切な可変容量素子の初期位置を算出する演算装置１３が設けられている。
【００１９】
図２は、インピーダンス整合装置７の例としての逆Ｌ形整合回路を示す。図２において、センサユニット１４には上記高周波電力が供給され、この高周波電力の振幅と位相とを検出しインピーダンスとして出力する機能を有する。センサユニット１４の出力側端子ｎと接地電位との間には、固定インダクタンスＬ１と可変容量素子Ｃ１が接続されており、端子ｎと負荷側には、固定インダクタンスＬ２と可変容量素子Ｃ２が接続されている。可変容量素子Ｃ１、Ｃ２は図示しない駆動用のサーボモータによって、可動電極の位置を変化させることでその容量が可変に制御される。
【００２０】
次に、以上の構成のプラズマＣＶＤ装置を用いたプラズマＣＶＤ処理工程について説明する。まず、半導体ウエーハ５を真空処理室１内に搬入して下部電極３上に載置して保持させる。その後、ガス導入部４よりガスを真空処理室１内に導入するとともに排気手段６により真空排気して真空処理室１の内部を所定の圧力に維持する。次に、高周波ＲＦ電源８から上部電極２に高周波電力を印加する。上部電極２に印加された高周波電力により真空処理室１内の気体がプラズマ化され、プラズマ中のイオン、電子及びラジカルによりウエーハ５上でのＣＶＤ反応を促進させる。この後、排気ガス成分やＣＶＤ反応により生じた反応生成物は排気手段６により排気される。
【００２１】
図３に半導体ウエーハ5を下部電極３に設置してプラズマＣＶＤ処理を行ったときの可変容量素子C1／C2の容量の変化の模式図を示す。一点鎖線と点線がそれぞれ可変容量素子C1／C2の容量（可動電極の位置：単位[a.u.]）を表し、実線が高周波ＲＦ電源８の反射波の電力を表している。
【００２２】
符号Ａ３のタイミングで薄膜堆積が開始し、符号Ａ４のタイミングで終了する。可変容量素子C1／C2の容量について、符号Ａ１の間に薄膜堆積処理の初期において放電が安定するように初期容量(プリセット)を設定する。そして、符号Ａ２の着火時に高周波ＲＦ電源８の位相と振幅をセンサユニット１４により検出し、上記高周波の信号線と負荷とでインピーダンスが整合するように動作させる。
【００２３】
図４は、実際に半導体ウエーハ５上に薄膜堆積させる際、可変容量素子C1／C2の初期容量を変更していった時の整合値（整合容量）と初期放電時における反射波の電力を表すグラフである。図３と同様に、一点鎖線と点線がそれぞれ可変容量素子C1／C2の相対容量を表し、実線が高周波電源の反射波の電力を表している。
【００２４】
符号Ｂ１〜Ｂ５は、可変容量素子C1の容量を固定し、可変容量素子C2の初期容量を制御した場合の、初期放電時における高周波ＲＦ電源８の反射波の電力である。Ｂ１では可変容量素子の初期容量をC1／C2=47／54とした場合、初期放電時の反射波が最大37Ｗであるが、図中Ｂ２〜Ｂ５に示すように初期容量を制御するとＢ５の可変容量素子の初期容量をC1／C2=47／51とした場合に、初期放電時の反射波を11Ｗまで低減することができているのがわかる。
【００２５】
上記演算装置１３は、この結果を表１に示すようなマトリックスとして保持している。
【００２６】
【表１】
2009188152.tif 000003
【００２７】
本発明では、このマトリックスに基づいて高周波ＲＦ電源８の反射波の電力が所定の上限値未満になるような、可変容量素子C1／C2の初期容量（初期位置）を決定する。このマトリックスは後述する成膜前処理中に作成される。一方、上述の通り、負荷インピーダンスはメンテナンス等で部品交換を行なうことなどにより変化するほか、成膜処理が進むとともに変化する。
【００２８】
しかし、負荷インピーダンスの変動に伴う整合位置の変動は、半導体製造装置の構造等に依存して実験的な傾向（マトリックス上での特定方向への移動）を示す。従って、このマトリックスにより適切な可変容量素子の初期容量を制御することで、実際の放電開始後の整合速度の向上とともに、反射波を抑制することが可能になるのである。
【００２９】
図５は、本発明を用いて放電初期の反射波の電力を所望以下の値になる様に、可変容量素子C1／C2の初期容量を制御するフロー図である。
【００３０】
まず制御装置１０はステップＳ１において、プリコート等の成膜前処理を開始させる。
【００３１】
次のステップＳ２において、データ収集装置１１は制御装置１０から、可変容量素子C1／C2の現在の容量その他の装置パラメータを収集し、データ保存装置１２に記録する。
【００３２】
次のステップＳ３において、演算装置１３はステップＳ２で得られた現在の容量に対して、可変容量素子C1／C2の容量を、それぞれ任意の値だけずらせた場合の反射波の電力を表した、上記マトリックスを生成する。
【００３３】
次のステップＳ４において、制御装置１０は演算装置１３から上記現在の容量を受け取り、実際の初期放電前の可変容量素子C1／C2の初期容量として設定する。
【００３４】
次のステップＳ５において、制御装置１０は薄膜堆積処理を開始する。
【００３５】
次のステップＳ６において、データ収集装置１１は初期放電時の反射波の電力を取得し、データ保存装置１２に保存する。
【００３６】
次のステップＳ７において、演算装置１３はステップＳ６にて得られた初期放電時の反射波の電力を予め設定された上限値と比較する。この際、この電力が上限値を越えていなければ、薄膜体積処理を継続する(ステップＳ７ＯＫ→Ｓ５)。
【００３７】
一方、反射波の電力が上限値を超えていれば、一つの薄膜堆積処理ごとにステップＳ４から制御を繰り返す(ステップＳ７ＮＧ→Ｓ４)。即ち、制御装置１０は、演算装置１３が保持する上記マトリックスから、初期放電時の反射波が前記上限値より抑制できる可変容量素子C1／C2の容量を、上述の実験的な傾向に従って選択し、C1／C2の容量として設定する。
【００３８】
そして、再び、ステップＳ５において、制御装置１０は薄膜堆積処理を開始し、ステップＳ６において、データ収集装置１１は初期放電時の反射波を取得し、これを前記上限値と比較する。そして反射波が上限値を下回るまで、上述の実験的な傾向に従って、可変容量素子C1／C2の容量を上記マトリックスから選択して設定し続ける。
【００３９】
以上のように、本発明によれば、インピーダンスを整合させる可変容量素子の容量を、成膜前処理中に作成したマトリックスから選択し設定する。このため、成膜処理のスループットを低下させることなく、負荷インピーダンスの変動に応じて可変容量素子の初期容量を適切に設定できるので、きわめて高速にプラズマを安定させることができるのである。
【産業上の利用可能性】
【００４０】
以上、説明したように本発明の半導体装置の製造方法は、放電初期の反射波を最低限に抑えることができ、量産装置の負荷変動に対しても追従できる。これにより、より安定したプラズマ状態を構築でき薄膜堆積の制御性を向上し、微細デバイスの製造ばらつきを低減させることができる。
【図面の簡単な説明】
【００４１】
【図１】一般的なプラズマＣＶＤ装置の概略図。
【図２】本発明の実施形態における逆Ｌ形整合回路の概略図。
【図３】本発明における薄膜堆積時の可変容量素子と反射波の変化を示すグラフ。
【図４】本発明における反射波の収束を表すグラフ。
【図５】本発明における可変容量素子の初期容量最適化のフローチャート。
【図６】従来技術における逆Ｌ型整合回路の概略図。
【符号の説明】
【００４２】
１  真空処理室
２  上部電極
３  下部電極
４  ガス導入部
５  ウエーハ
６  排気制御装置
７  インピーダンス整合装置
８  高周波ＲＦ電源
９  低周波ＲＦ電源
１０  装置制御装置
１１  データ収集装置
１２  データ保存装置
１３  演算装置
１４  センサユニット
【図１】
2009188152.tif 000004
【図２】
2009188152.tif 000005
【図３】
2009188152.tif 000006
【図４】
2009188152.tif 000007
【図５】
2009188152.tif 000008
【図６】
2009188152.tif 000009